(57)【要約】【課題】  部品点数を減らすことができ、かつ本体フレームと扉との組付に際してねじ止め作業が不要で、組付を簡単に行えるようにする。【解決手段】  プリント基板が収納され壁面等へ取り付けられる本体フレーム２と、本体フレーム２に開閉自在に装着されてその前面を覆う扉４とを、これらと一体の軸６と軸受７とからなる２組の蝶番部３，３により連結するとともに、本体フレーム２から扉４を一定角度以上開くと、閉扉時に所定以上の力をかけないと閉扉しないような扉のロック機構１０を設ける。【選択図】        図１
2005092378.tif 000002
【特許請求の範囲】
【請求項１】
プリント基板が収納され壁面等へ取り付けられる本体フレームと、前記本体フレームに開閉自在に装着されてその前面を覆う扉とを備えた火災報知設備用機器において、
前記本体フレームから前記扉を一定角度以上開くと、閉扉時に所定以上の力をかけないと閉扉しないような扉のロック機構を設けたことを特徴とする火災報知設備用機器。
【請求項２】
前記本体フレームと扉とは、その一方の一側辺部の両端外側にそれぞれ一体成形した軸と、これら軸がそれぞれ嵌入可能に他方に一体成形した軸受と、からなる２組の蝶番部により連結されてなることを特徴とする請求項１記載の火災報知設備用機器。
【請求項３】
前記扉における両蝶番部間の蝶番軸線上の複数個所に、円筒部を一体に設けるとともに、前記本体フレームの蝶番側辺部における両蝶番部間に、扉側の各円筒部の一部がほぞ組状に嵌入するガイド切欠きを設けたことを特徴とする請求項２記載の火災報知設備用機器。
【請求項４】
前記ロック機構を、前記本体フレームのガイド切欠きの少なくとも１つに設けられて前記扉側の円筒部に向け突出する突片と、該突片に対応する前記扉側の円筒部に形成されて所定開扉角度範囲の間、前記突片の先端と係合して該突片を撓ませ、一定角度以上開くと該突片を解放するカム状面とから構成したことを特徴とする請求項３記載の火災報知設備用機器。
【請求項５】
プリント基板が収納され壁面等へ取り付けられる本体フレームと、前記本体フレームに開閉自在に装着されてその前面を覆う扉とを備えた火災報知設備用機器において、
前記扉と本体フレーム間の隙間を隠蔽する構造を有することを特徴とする火災報知設備用機器。
【請求項６】
前記本体フレームと扉は、これらの一側辺部の両端外側にそれぞれ一体成形した軸および軸受からなる２組の蝶番部により連結されているとともに、前記一側辺部における両蝶番部間が前面側からみて重なるように構成されてなることを特徴とする請求項５記載の火災報知設備用機器。
【請求項７】
前記両蝶番部間の扉側の一側辺部に、蝶番軸線と交差して張り出す盲板部を一体に設けるとともに、前記両蝶番部間の本体フレーム側の一側辺部に、前記扉側の盲板部の蝶番軸線を中心とする回動を許容する切欠部を設けたことを特徴とする請求項６記載の火災報知設備用機器。
【発明の詳細な説明】
【技術分野】
【０００１】
本発明は、例えば火災報知設備用機器に係り、より詳しくは、機器の筐体における本体フレームと扉との連結部の改良に関する。
【背景技術】
【０００２】
従来の火災報知設備用機器、例えば壁掛けタイプの火災受信機の筐体は、有底枠状の本体フレームに別体からなるヒンジ部材を使用して扉が取り付けられ、１８０°開閉自在となっている。また外付けタイプのヒンジ部材が用いられている場合は、その回動中心となる軸部が本体フレームと扉の連結側辺よりも外側に位置するため、１８０°以上開閉自在となっている。ヒンジ部材は、通常、軸を介しほぞ組状に連結された２枚の板部材からなり、これら板部材を、本体フレームと扉とにそれぞれねじによって止着することにより、本体フレームと扉が連結されるようになっている。また、このような壁掛けタイプの火災受信機においては、通常、本体フレームの底壁部にこれを壁面等に取付けるためのねじ挿通穴が形成されていて、筐体の壁面への取付が以下の手順で行われるようになっている。まず本体フレームのねじ挿通穴の位置に合わせて予め壁面等にねじを取り付け、次いで本体フレームのねじ挿通穴が見えるように扉を開いて、そのねじ挿通穴にねじを挿通させることで火災受信機を壁面等に仮止めし、最後にねじ止め作業を行う（例えば特許文献１参照）。
【０００３】
【特許文献１】特開２００１−１１１６６２号公報
【発明の開示】
【発明が解決しようとする課題】
【０００４】
このように、従来は火災報知設備用機器の筐体の本体フレームと扉とを、別体からなる複数のヒンジ部材を用いてねじにより連結するようにしているため、部品点数が多く、かつねじ止め作業が繁雑であった。また、強度を確保するためにヒンジ部材の数を増やした場合には、ヒンジ部材相互の心出しや各ヒンジ部材のねじ止め作業がより一層煩雑になるという難点があった。
【０００５】
また、壁掛けタイプの火災受信機のように筐体を壁面に取り付ける必要があるものにおいては、扉を開かなければねじ挿通穴の位置がわからないため、仮止めから締め付けに至るまで扉を開いた状態にしなければ、作業ができない。そのため、仮止めから締め付けに至るまで扉が安定して開いた状態におかれることが望ましい。しかし、従来は扉のロック機構が筐体そのものに備わっていないため、仮止めから締め付けに至る間、扉が自由回動して固定されず、不安定な状態におかれる。このため、筐体の壁面への取付作業が煩雑となり、作業性が悪いという問題があった。
【０００６】
また、本体フレーム及び扉の製造誤差のバラツキ等により発生する、組立時の本体フレームと扉の隙間の間隔の不揃いが目立ち、美観的に問題があった。この問題は、筐体を構成する本体フレームと扉の材質が合成樹脂で、モールド成形により製作される場合に顕著に現れていた。なお、この隙間の間隔の不揃いは、仮に、本体フレームと扉の製作時に撓み、歪みが発生した場合も生じる。
【０００７】
本発明の第１の技術的課題は、開扉状態を保持可能であり、また、部品点数を減らすことができ、かつ本体フレームと扉との組付に際してねじ止め作業が不要で、組付を簡単に行えるようにすることにある。
また、本発明の第２の技術的課題は、本体フレーム及び扉の製造誤差のバラツキ等により発生したり、また仮に、本体フレームと扉の製作時に撓み、歪みが発生した場合に発生する、組立時の本体フレームと扉の隙間の間隔の不揃いを目立たなくすることができるようにすることにある。
【課題を解決するための手段】
【０００８】
本発明の請求項１に係る火災報知設備用機器は、下記の構成からなるものである。すなわち、プリント基板が収納され壁面等へ取り付けられる本体フレームと、本体フレームに開閉自在に装着されてその前面を覆う扉とを備えた火災報知設備用機器において、本体フレームから扉を一定角度以上開くと、閉扉時に所定以上の力をかけないと閉扉しないような扉のロック機構を設けたものである。
【０００９】
また、本発明の請求項２に係る火災報知設備用機器は、本体フレームと扉とは、その一方の一側辺部の両端外側にそれぞれ一体成形した軸と、これら軸がそれぞれ嵌入可能に他方に一体成形した軸受と、からなる２組の蝶番部により連結されてなるものである。
【００１０】
また、本発明の請求項３に係る火災報知設備用機器は、扉における両蝶番部間の蝶番軸線上の複数個所に、円筒部を一体に設けるとともに、本体フレームの蝶番側辺部における両蝶番部間に、扉側の各円筒部の一部がほぞ組状に嵌入するガイド切欠きを設けたものである。
【００１１】
また、本発明の請求項４に係る火災報知設備用機器は、ロック機構を、本体フレームのガイド切欠きの少なくとも１つに設けられて扉側の円筒部に向け突出する突片と、この突片に対応する扉側の円筒部に形成されて所定開扉角度範囲の間、突片の先端と係合して突片を撓ませ、一定角度以上開くと突片を解放するカム状面とから構成したものである。
【００１２】
本発明の請求項５に係る火災報知設備用機器は、下記の構成からなるものである。すなわち、プリント基板が収納され壁面等へ取り付けられる本体フレームと、本体フレームに開閉自在に装着されてその前面を覆う扉とを備えた火災報知設備用機器において、扉と本体フレーム間の隙間を隠蔽する構造を有するものである。
【００１３】
また、本発明の請求項６に係る火災報知設備用機器は、請求項５の本体フレームと扉が、これらの一側辺部の両端外側にそれぞれ一体成形した軸および軸受からなる２組の蝶番部により連結されているとともに、これらの一側辺部における両蝶番部間が前面側からみて重なるように構成されてなるものである。
【００１４】
また、本発明の請求項７に係る火災報知設備用機器は、請求項５の両蝶番部間の扉側の一側辺部に、蝶番軸線と交差して張り出す盲板部を一体に設けるとともに、両蝶番部間の本体フレーム側の一側辺部に、扉側の盲板部の蝶番軸線を中心とする回動を許容する切欠部を設けたものである。
【発明の効果】
【００１５】
請求項１に係る火災報知設備用機器においては、本体フレームから扉を一定角度以上開くと、閉扉時に所定以上の力をかけないと閉扉しないような扉のロック機構を設けているので、扉を一定角度以上開いた状態に保持することができる。このため、例えば火災受信機のように施工時に扉を開けた状態で感知器回路の結線等を行う必要がある場合に、作業中に扉が閉まるようなことがなくなり、さらに所定以上の力を加えると閉じることができて、作業性が向上する。特に、火災報知設備用機器が床面に対して、垂直（９０°）状態で壁面等に取り付けられていない状態であっても、開扉状態を保持することが可能となる。
【００１６】
請求項２に係る火災報知設備用機器においては、本体フレームと扉とを、その一方の一側辺部の両端外側にそれぞれ一体成形した軸と、これら軸がそれぞれ嵌入可能に他方に一体成形した軸受と、からなる２組の蝶番部により連結しているので、部品点数を減らすことができて、コストの低減化が図れ、さらに扉をワンタッチで簡単に本体フレームに取り付けることができて、扉と本体フレームとの組付作業が容易となる。
【００１７】
請求項３に係る火災報知設備用機器においては、扉における両蝶番部間の蝶番軸線上の複数個所に、円筒部を一体に設けるとともに、本体フレームの蝶番側辺部における両蝶番部間に、扉側の各円筒部の一部がほぞ組状に嵌入するガイド切欠きを設けているので、スラスト方向の荷重が蝶番部に加わるのを抑制できるので、蝶番部の破損を防止でき、また、開扉時にスラスト方向のズレがなくなって扉の開閉がスムーズとなり、さらに扉の捩れを防止することができる。
【００１８】
請求項４に係る火災報知設備用機器においては、ロック機構を、本体フレームのガイド切欠きの少なくとも１つに設けられて扉側の円筒部に向け突出する突片と、この突片に対応する扉側の円筒部に形成されて所定開扉角度範囲の間、突片の先端と係合して突片を撓ませ、一定角度以上開くと突片を解放するカム状面とから構成しているので、ロック機構を簡易的に構成でき、別体による特別な扉のストッパ装置等が不要となる。
【００１９】
請求項５に係る火災報知設備用機器においては、扉と本体フレーム間の隙間を隠蔽する構造を有するので、本体フレーム及び扉の製造誤差のバラツキ等により、また仮に、本体フレームと扉の製作時に、撓み、歪みが発生して、本体フレームと扉の隙間の間隔の不揃いが生じても、これを隠蔽することができて、外観上の美観が損なわれることがなくなる。
【００２０】
請求項６に係る火災報知設備用機器においては、本体フレームと扉が、これらの一側辺部の両端外側にそれぞれ一体成形した軸および軸受からなる２組の蝶番部により連結されているとともに、これらの一側辺部における両蝶番部間が前面側からみて重なるように構成されているので、前面側からみると本体フレームと扉の隙間を見えなくすることができ、外観上の美観が損なわれることがなくなる。
【００２１】
請求項７に係る火災報知設備用機器においては、両蝶番部間の扉側の一側辺部に、蝶番軸線と交差して張り出す盲板部を一体に設けるとともに、両蝶番部間の本体フレーム側の一側辺部に、扉側の盲板部の蝶番軸線を中心とする回動を許容する切欠部を設けているので、前面側だけでなく、側方からみても本体フレームと扉の隙間を小さくすることができる。
【発明を実施するための最良の形態】
【００２２】
図１は本発明の一実施形態に係る火災報知設備用機器を示す正面図、上面図、及び右側面図、図２は（ａ）閉扉と（ｂ）開扉の状態を図１のＡ−Ａ線に沿って示す矢視断面図、図３は（ａ）閉扉と（ｂ）開扉の状態を図１のＢ−Ｂ線に沿って示す矢視断面図、図４は図３の（ｂ）図の要部拡大断面図、図５は図１に対応したシート基板を取り付けた状態における扉の正面図、上面図、及び右側面図、図６は図１に対応した本体フレーム単体の正面図、上面図、及び右側面図である。なお、ここでは火災報知設備用機器として壁掛けタイプの火災受信機を例に挙げて説明する。
【００２３】
本実施形態の火災報知設備用機器すなわち壁掛けタイプの火災受信機は、その筐体１が、プリント基板（図示せず）が収納される有底枠状の本体フレーム２と、本体フレーム２の一側辺両端部に２組の蝶番部３，３により枢着されてその前面を開閉自在に覆う浅い箱状の扉４とから構成され、本体フレーム２の底壁２ｃ（図２、図３、図６）の上辺近傍の左右２個所及び下辺近傍の左右２個所に、これを壁面等に取付けるためのねじ挿通穴２ｈ，２ｈ及び２ｉ，２ｉが形成されている。
【００２４】
これを更に詳述すると、本体フレーム２と扉４とは、いずれも合成樹脂からなり、蝶番部３はこれら本体フレーム２と扉４とにモールドによりそれぞれ一体成形されている。すなわち、蝶番部３は、扉４の右側辺の上下両端部に外付状態に設けられた第１の円筒部５，５及びこれら第１の円筒部５，５の外端面にそれぞれ突設された軸６，６と、これら軸６，６が嵌入可能に本体フレーム２の右側辺の上下両端部に外付状態に張り出させて設けられた軸受片（軸受）７，７とから構成され、扉４側の各軸６，６を本体フレーム２側の軸受片７，７にこれらのばね力を利用して押し込むことでこれらが連結されるようになっている。したがって、各軸受片７，７には、各軸６，６の挿入を容易にするためのガイドとなる溝７ａ，７ａが設けられている。
【００２５】
また、扉４における両蝶番部３，３間の蝶番軸線上の複数個所（ここでは３個所）に、第１の円筒部５と同心同径の第２円筒部８，８，８を一体に設けるとともに、本体フレーム２の蝶番側辺部２ｇにおける両蝶番部３，３間に、ガイド切欠き２ａ，２ａ，２ａ及び２ｂ，２ｂが設けられていて、扉４側の第２の円筒部８，８，８の一部及び第１の円筒部５，５の一部が、例えば、半柱状にそれぞれ蝶番側辺部２ｇのガイド切欠き２ａ，２ａ，２ａ、及び２ｂ，２ｂに対応してほぞ組状に嵌入する。これにより、スラスト方向の荷重が蝶番部３，３に加わるのを抑制できるようになっている。また、開扉時におけるスラスト方向のズレがなくなって扉４の開閉がスムーズとなり、さらに扉４の捩れを防止することができる。
【００２６】
また、第１の円筒部５，５のそれぞれの軸方向中央部にはそれぞれ周方向の溝５ａ，５ａが形成されているとともに、第１の円筒部５，５が嵌入するガイド切欠き２ｂ，２ｂ内に、それぞれ溝５ａ，５ａに向けて突出する突片２ｄ，２ｄ（図３及び図４に一方の突片のみ示す）が設けられており、さらに溝５ａ，５ａの底面に、それぞれ所定開扉角度範囲の間突片２ｄ，２ｄの先端と係合して突片２ｄ，２ｄを撓ませ、一定角度以上（例えば１８０°以上）開くと突片２ｄ，２ｄを解放するカム状面５ｂ，５ｂ（図３及び図４に一方のカム状面のみ示す）が形成されていて、これら扉４と一体のカム状面５ｂ，５ｂと、本体フレーム２と一体の突片２ｄ，２ｄとにより、ロック機構１０，１０が構成されている。
【００２７】
また、両蝶番部３，３間の扉４側の側辺部における第１及び第２の円筒部５，８間、第２及び第２の円筒部８，８間、第２及び第２の円筒部８，８間、第２及び第１の円筒部８，５間には、それぞれ図１及び図２のように蝶番軸線Ｐと交差して張り出す盲板部４ａ，４ａ，４ａ，４ａが一体に設けられているとともに、両蝶番部３，３間の本体フレーム２側の側辺部における各盲板部４ａ，４ａ，４ａ，４ａと対向する部位に、各盲板部４ａ，４ａ，４ａ，４ａの蝶番軸線Ｐを中心とする回動（図２の(ａ)(ｂ)参照）を許容する切欠部２ｅ，２ｅ，２ｅ，２ｅ（図２に１個所のみ示す）を設けられていて、側辺部における両蝶番部３，３間の第１及び第２の円筒部５，８間、第２及び第２の円筒部８，８間、第２及び第２の円筒部８，８間、第２及び第１の円筒部８，５間が前面側からみて重なるように構成されている。このため、前面側からみると本体フレーム２と扉４間の隙間（本体フレーム２の端面２ｆと扉４の端面４ｆとの隙間Ｆ）を見えなくすることができるとともに、側方からみても本体と扉の隙間を小さくすることができる。
【００２８】
なお、扉４の前面には、図１の如く、表示部、操作部を構成するＬＥＤ、スイッチ等が、プラスチック等にて製作したフィルム上に実装されたシート基板１４が貼付られ、この扉４に形成されている図示しないケーブル引込口より筐体１内に挿入されたフラットケーブルにより、シート基板１４と本体フレーム２内のプリント基板との間が電気的に接続されるようになっている。
【００２９】
以上の構成を有する本実施形態の火災報知設備用機器において、本体フレーム２と扉４との組付は、まず扉４側の第１の円筒部５，５の軸６，６と、本体フレーム２側の軸受片７，７の溝７ａ，７ａとの位置合わせを行い、そのまま軸６，６が軸受片７，７の中心に向かうように扉４を押し込む。このとき、軸受片７，７は扉４の押し込み力によって外側へ撓むが、軸６，６が軸受片７，７の中心孔部に嵌入するとスプリングバックにより元の状態に復帰し、軸６，６が軸受片７，７に枢着される。また、同時に扉４側の第１の円筒部５，５と第２円筒部８，８，８が、本体フレーム２側の蝶番側辺部２ｇの各ガイド切欠き２ｂ，２ｂ，２ａ，２ａ，２ａにほぞ組状に嵌入する。すなわち、扉４をワンタッチで本体フレーム２に取り付けることができる。
【００３０】
次に、このようにして扉４と本体フレーム２とを組み付けてなる筐体１を壁面に取り付けるには、まず本体フレーム２のねじ挿通穴２ｈ，２ｈの位置に合わせて予め壁面等にねじを取り付ける。次いで、図３の（ａ）図→（ｂ）図のように扉４を突片２ｄ，２ｄがカム状面５ｂ，５ｂを超えるまで（例えば１８０°以上）開いて、ロック機構１０，１０により、扉４の閉扉方向への自由回動を規制できるようにしてから、本体フレーム２のねじ挿通穴２ｈ，２ｈと壁面のねじとの位置合わせを行い、ねじ挿通穴２ｈ，２ｈにねじを挿通させて仮止めした後、本体フレーム２のねじ挿通穴２ｉ，２ｉにねじを挿通させて壁面等に仮止めする。そして、ねじ挿通穴２ｈ，２ｈ，２ｉ，２ｉに対応したねじの本締め作業を行う。その後、シート基板１４から扉４のケーブル引込口を通して延びるフラットケーブルの先端を本体フレーム２内のプリント基板に接続する。そして、扉４を閉扉方向へ回動して、扉４を閉扉する。このとき、カム状面５ｂ，５ｂから解放されている突片２ｄ，２ｄが、カム状面５ｂ，５ｂの閉扉方向の先端部位５ｃ（カム状面５ｂ，５ｂの中で溝５ａ，５ａの浅い部位）と対向するが、閉扉方向へ扉４に所定以上の力をかけることで、突片２ｄ，２ｄがカム状面５ｂ，５ｂの先端部位５ｃ，５ｃを乗り越えて閉扉方向に回動して、扉４を閉扉することができる。なお、先端部位５ｃ，５ｃの溝５ａ，５ａの浅さを変更することで、閉扉に必要な力の大きさを変更できる。
【００３１】
このように、本実施形態の火災報知設備用機器は、本体フレーム２から扉４を一定角度（例えば１８０°）以上開くと、閉扉時に所定以上の力をかけないと閉扉しないようなロック機構１０を設けているので、扉４を一定角度（例えば１８０°）以上開いた状態に保持することができる。このため、例えば火災受信機のように施工時に扉を開けた状態で感知器回路の結線等を行う必要がある場合に、作業中に扉が閉まるようなことはなくなり、さらに所定以上の力を加えると閉じることができて、作業性が向上する。特に、火災報知設備用機器が床面に対して、垂直（９０°）状態で壁面等に取り付けられていない状態であっても、開扉状態を保持することが可能となる。なお、突片を２ヶ所設けたり、開扉方向における先端部位以降の溝の長さを制限することによって、扉を一定角度または一定角度範囲で保持するようにしてもよい。
【００３２】
また、本体フレーム２と扉４とを、扉４と一体の軸６，６と、これら軸６，６がそれぞれ嵌入可能な本体フレーム２と一体の軸受片７，７と、からなる２組の蝶番部３，３により連結しているので、部品点数を減らすことができて、コストの低減化が図れ、さらに扉４をワンタッチで簡単に本体フレーム２に取り付けることができて、扉４と本体フレーム２との組付作業が容易となる。
【００３３】
また、扉４における両蝶番部３，３間の蝶番軸線上の複数個所に、第２の円筒部８，８，８及び第１の円筒部５，５を一体に設けるとともに、本体フレーム２の蝶番側辺部２ｇにおける両蝶番部３，３間に、扉４側の各円筒部８，８，８及び５，５の一部、例えば半柱状がほぞ組状に嵌入するガイド切欠き２ａ，２ａ，２ａ及び２ｂ，２ｂを設けた。各円筒部８，８，８及び５，５の一部が蝶番側辺部２ｇのガイド切欠き２ａ，２ａ，２ａ，及び２ｂ，２ｂに嵌入するので、これら各円筒部８，８，８及び５，５のスラスト方向（上下方向）の動きを規制するように、つまり扉４のスラスト荷重を受けるように、ガイド切欠き２ａ，２ａ，２ａ及び２ｂ，２ｂそれぞれの上下端面側に位置する蝶番側辺部２ｇにて支持することができ、スラスト方向の荷重が蝶番部３，３に加わるのを抑制できるので、蝶番部３，３の破損を防止でき、また、開扉時にスラスト方向のズレがなくなって扉４の開閉がスムーズとなり、さらに扉４の捩れを防止することができる。
【００３４】
また、ロック機構１０，１０を、本体フレーム２のガイド切欠き２ｂ，２ｂにそれぞれ設けられて扉４側の第１の円筒部５，５に向け突出する突片２ｄ，２ｄと、これら突片２ｄ，２ｄに対応する扉４側の第１の円筒部５，５に形成されて所定開扉角度範囲の間、突片２ｄ，２ｄの先端と係合して突片２ｄ，２ｄを撓ませ、一定角度以上（例えば１８０°以上）開くと突片２ｄ，２ｄを解放するカム状面５ｂ，５ｂとから構成しているので、ロック機構１０，１０を簡易的に構成でき、別体による特別な扉４のストッパ装置等が不要となる。
【００３５】
また、扉４と本体フレーム２間の隙間を隠蔽する構造を有するので、本体フレーム２及び扉４の製造誤差のバラツキ等により、また仮に、本体フレーム２と扉４の製作時に、撓み、歪みが発生して、本体フレーム２と扉４の隙間の間隔の不揃いが生じても、これを隠蔽することができて、外観上の美観が損なわれることがなくなる。
【００３６】
また、扉４と本体フレーム２間の隙間を隠蔽する構造として、両蝶番部３，３間が前面側からみて重なるように構成しているので、前面側からみると本体フレーム２と扉４間の隙間を見えなくすることができ、外観上の美観が損なわれることがなくなる。
【００３７】
また、両蝶番部３，３間の扉４側の側辺部、つまり第１及び第２の円筒部５，５，８，８，８間に、それぞれ蝶番軸線Ｐと交差して張り出す盲板部４ａ，４ａ，４ａ，４ａを一体に設けるとともに、両蝶番部３，３間の本体フレーム２側の側辺部における各盲板部４ａ，４ａ，４ａ，４ａと対向する部位に、各盲板部４ａ，４ａ，４ａ，４ａの蝶番軸線Ｐを中心とする回動を許容する切欠部２ｅ，２ｅ，２ｅ，２ｅを設けているので、側辺部における両蝶番部３，３間が前面側からみて重なるように構成しており、また、前面側だけでなく、側方からみても本体フレーム２と扉４の隙間を小さくすることができる。
【００３８】
なお、ここでは扉４側に蝶番部３を形成する第１の円筒部５及び軸６を設けるとともに、本体フレーム２側に蝶番部３を形成する軸受片７を設けたものを例に挙げて説明したが、これらの関係は逆でもよいことは言うまでもない。
【００３９】
また、ここではロック機構１０，１０を第１の円筒部５，５及びこれらが嵌入するガイド切欠き２ｂ，２ｂ内に設けたものを例に挙げて説明したが、これを第２の円筒部８，８，８及びこれらが嵌入するガイド切欠き２ａ，２ａ，２ａ内に設けてもよく、さらにロック機構の設置数は１個所でもよく、或いは３個所以上としてもよい。
【００４０】
また、ここでは火災報知設備用機器として火災受信機を例に挙げて説明したが、それ以外の火災表示器や操作器等にも本発明を適用することができる。
【図面の簡単な説明】
【００４１】
【図１】本発明の一実施形態に係る火災報知設備用機器を示す正面図、上面図、及び右側面図である。
【図２】図１のＡ−Ａ線に沿って示す閉扉状態と開扉状態の矢視断面図である。
【図３】図１のＢ−Ｂ線に沿って示す閉扉状態と開扉状態の矢視断面図である。
【図４】図３の要部拡大断面図である。
【図５】図１に対応したシート基板を取り付けた状態における扉の正面図、上面図、及び右側面図である。
【図６】図１に対応した本体フレーム単体の正面図、上面図、及び右側面図である。
【符号の説明】
【００４２】
２  本体フレーム
２ａ，２ｂ  ガイド切欠き
２ｄ  突片
２ｅ  切欠部
３  蝶番部
４  扉
４ａ  盲板部
５  第１の円筒部（円筒部）
５ｂ  カム状面
６  軸
７  軸受片（軸受）
８  第２の円筒部（円筒部）
１０  ロック機構
Ｐ  蝶番軸線
【図１】
2005092378.tif 000003
【図２】
2005092378.tif 000004
【図３】
2005092378.tif 000005
【図４】
2005092378.tif 000006
【図５】
2005092378.tif 000007
【図６】
2005092378.tif 000008